(57)【要約】【課題】記録媒体に記録する画像の記録に関する情報を表示すること。【解決手段】ＣＰＵ１２は、メモリカードスロット１１への記録媒体１１ａおよび１１ｂの挿入状況を検出し、挿入状況を示すアイコンを表示装置１３に表示する。そして、アイコンに対応付けて記録媒体１１ａおよび１１ｂに関する情報を表示する。【選択図】図１
2008178082.tif 000002
【特許請求の範囲】
【請求項１】
被写体像を撮像して画像を取得する撮像手段と、
前記撮像手段で取得した画像を記録するための記録媒体を格納するための格納手段と、
前記格納手段に格納された前記記録媒体に、前記撮像手段で取得した画像を記録する記録制御手段と、
前記格納手段への前記記録媒体の挿入状況を検出する検出手段と、
前記検出手段で検出した前記挿入状況を示すアイコンを表示する挿入状況表示手段と、
前記アイコンに対応付けて、前記記録媒体に関する情報を表示する情報表示手段とを備えることを特徴とするカメラ。
【請求項２】
請求項１に記載のカメラにおいて、
前記情報表示手段は、前記アイコンの中、または前記アイコンの近傍に前記記録媒体に関する情報を表示することを特徴とするカメラ。
【請求項３】
請求項１または２に記載のカメラにおいて、
前記記録媒体に関する情報は、前記記録媒体に記録する画像の画質に関する情報であることを特徴とするカメラ。
【請求項４】
請求項１〜３のいずれか一項に記載のカメラにおいて、
前記格納手段は、複数の記録媒体を格納するためのスロット部を備え、
前記挿入状況表示手段は、前記複数の記録媒体ごとに前記アイコンを表示することを特徴とするカメラ。
【請求項５】
請求項４に記載のカメラにおいて、
前記情報表示手段は、前記複数の記録媒体ごとに表示される前記アイコン間に、前記複数の記録媒体間の記録に関する関係を示す情報を表示することを特徴とするカメラ。
【請求項６】
請求項５に記載のカメラにおいて、
前記複数の記録媒体間の記録に関する関係に基づいて、前記複数の記録媒体のうち、格納されるべき記録媒体が前記格納手段に格納されていないことを検出した場合には、使用者に対して警告する警告手段をさらに備えることを特徴とするカメラ。
【請求項７】
請求項５に記載のカメラにおいて、
前記複数の記録媒体間の記録に関する関係に基づいて、前記複数の記録媒体のうち、格納されるべき記録媒体が前記格納手段に格納されていないことを検出した場合には、前記格納手段に格納されている前記記録媒体に、前記格納されていない記録媒体に記録する画像を記録することを特徴とするカメラ。
【請求項８】
請求項４〜７のいずれか一項に記載のカメラにおいて、
前記記録制御手段は、前記複数の記録媒体のそれぞれの総記録容量、または残容量を加味して、どの記録媒体に画像を記録するかを決定することを特徴とするカメラ。
【請求項９】
被写体像を撮像して画像を取得する撮像手段と、
前記撮像手段で取得した画像を記録するための複数の記録媒体を格納するための格納手段と、
前記格納手段に格納された前記複数の記録媒体に、前記撮像手段で取得した画像を記録する記録制御手段と、
前記格納手段への前記複数の記録媒体の挿入状況を検出する検出手段と、
前記検出手段で検出した各記録媒体の挿入状況を示すアイコンを表示する挿入状況表示手段と、
前記複数の記録媒体ごとに表示される前記アイコン間に、前記複数の記録媒体間の記録に関する関係を示す情報を表示する情報表示手段を備えることを特徴とするカメラ。
【発明の詳細な説明】
【技術分野】
【０００１】
本発明は、画像を撮像して取得するカメラに関する。
【背景技術】
【０００２】
従来のデジタルカメラには、メモリカードが挿入されていることを示すマークをモニタに表示するものが知られている（例えば、非特許文献１）。
【０００３】
【非特許文献１】株式会社ニコン  デジタル一眼レフカメラ  Ｄ２Ｘｓ  カタログ  ２００６年６月１日現在  Ｐ．６  左上図
【発明の開示】
【発明が解決しようとする課題】
【０００４】
しかしながら、従来のデジタルカメラは、カードが挿入されているか否かを示すマークを表示するのみであるため、使用者は、そのマークを見ただけでは、カードへの記録に関する情報を容易に把握することができなかった。
【課題を解決するための手段】
【０００５】
請求項１に記載のカメラは、被写体像を撮像して画像を取得する撮像手段と、撮像手段で取得した画像を記録するための記録媒体を格納するための格納手段と、格納手段に格納された記録媒体に、撮像手段で取得した画像を記録する記録制御手段と、格納手段への記録媒体の挿入状況を検出する検出手段と、検出手段で検出した挿入状況を示すアイコンを表示する挿入状況表示手段と、アイコンに対応付けて、記録媒体に関する情報を表示する情報表示手段とを備えることを特徴とする。
請求項２に記載のカメラは、請求項１に記載のカメラにおいて、情報表示手段は、アイコンの中、またはアイコンの近傍に記録媒体に関する情報を表示することを特徴とする。
請求項３に記載のカメラは、請求項１または２に記載のカメラにおいて、記録媒体に関する情報は、記録媒体に記録する画像の画質に関する情報であることを特徴とする。
請求項４に記載のカメラは、請求項１〜３のいずれか一項に記載のカメラにおいて、格納手段は、複数の記録媒体を格納するためのスロット部を備え、挿入状況表示手段は、複数の記録媒体ごとにアイコンを表示することを特徴とする。
請求項５に記載のカメラは、請求項４に記載のカメラにおいて、情報表示手段は、複数の記録媒体ごとに表示されるアイコン間に、複数の記録媒体間の記録に関する関係を示す情報を表示することを特徴とする。
請求項６に記載のカメラは、請求項５に記載のカメラにおいて、複数の記録媒体間の記録に関する関係に基づいて、複数の記録媒体のうち、格納されるべき記録媒体が格納手段に格納されていないことを検出した場合には、使用者に対して警告する警告手段をさらに備えることを特徴とする。
請求項７に記載のカメラは、請求項５に記載のカメラにおいて、複数の記録媒体間の記録に関する関係に基づいて、複数の記録媒体のうち、格納されるべき記録媒体が格納手段に格納されていないことを検出した場合には、格納手段に格納されている記録媒体に、格納されていない記録媒体に記録する画像を記録することを特徴とする。
請求項８に記載のカメラは、請求項４〜７のいずれか一項に記載のカメラにおいて、記録制御手段は、複数の記録媒体のそれぞれの総記録容量、または残容量を加味して、どの記録媒体に画像を記録するかを決定することを特徴とする。
請求項９に記載のカメラは、被写体像を撮像して画像を取得する撮像手段と、撮像手段で取得した画像を記録するための複数の記録媒体を格納するための格納手段と、格納手段に格納された複数の記録媒体に、撮像手段で取得した画像を記録する記録制御手段と、格納手段への複数の記録媒体の挿入状況を検出する検出手段と、検出手段で検出した各記録媒体の挿入状況を示すアイコンを表示する挿入状況表示手段と、複数の記録媒体ごとに表示されるアイコン間に、複数の記録媒体間の記録に関する関係を示す情報を表示する情報表示手段を備えることを特徴とする。
【発明の効果】
【０００６】
本発明によれば、使用者は記録媒体への画像の記録に関する情報を容易に把握することができる。
【発明を実施するための最良の形態】
【０００７】
図１は、本実施の形態におけるカメラの一実施の形態の構成を示すブロック図である。カメラ１００は、例えばデジタル一眼レフカメラであって、撮影レンズ１と、撮像素子２と、Ａ／Ｄ変換回路（Ａ／Ｄ）３と、タイミングジェネレータ（ＴＧ）４と、イメージメモリ５と、画像処理回路６と、圧縮回路７と、表示回路８と、画像表示装置９と、メモリ１０と、メモリカードスロット１１と、ＣＰＵ１２と、表示装置１３とを備えている。
【０００８】
撮影レンズ１は、不図示のレンズマウント部を介してカメラ１００の本体に着脱可能な構成となっている。なお、撮影レンズ１は、実際には複数の光学レンズ群から構成されるが、図１では代表して１枚のレンズで表している。撮像素子２は、撮影レンズ１で結像された被写体像を電気信号に変換することによって被写体像を撮像する。このとき、撮像素子２は、ＴＧ４から与えられるタイミング信号に基づいて、被写体像を撮像する。Ａ／Ｄ３は、撮像素子２から入力されるアナログ（アナログ画像信号）をデジタル信号（デジタル画像信号）に変換する。
【０００９】
イメージメモリ５は、Ａ／Ｄ３から出力される画像データ、すなわちデジタル画像信号を一時的に記録するためのメモリであり、画像処理回路６は、イメージメモリ５に記録された画像データを読み出して種々の画像処理を実行する。圧縮回路７は、画像処理回路で画像処理が施された後の画像データを所定の圧縮形式、例えばＪＰＥＧ等に圧縮して、メモリ１０に一時的に記録する。メモリ１０に記録された画像データは、メモリカードスロット１１へ出力される。
【００１０】
本実施の形態におけるカメラ１００では、メモリカードスロット１１は、画像データを記録するための記録媒体、例えばメモリカードを２枚格納できるように、スロット部を２つ備えている。そして、メモリ１０から入力された画像データを、メモリカードスロット１１に着脱可能に格納（挿入）されている２枚の記録媒体、すなわち記録媒体１１ａおよび１１ｂにそれぞれ記録することができる。メモリカードスロット１１による記録媒体１１ａおよび１１ｂへの画像データの記録は、後述するＣＰＵ１２によって制御される。
【００１１】
なお、メモリカードスロット１１が備える２つのスロット部は、それぞれ同一規格のメモリカードを挿入できるものでもよく、異なる規格のメモリカードを挿入できるものであってもよい。例えば、両方ともＳＤカードを挿入するためのスロットでもよく、一方はＳＤカードを、他方はコンパクトフラッシュカードを挿入するためのスロットであってもよい。
【００１２】
表示回路８は、画像処理回路で画像処理が施された後の画像データや種々の設定メニュー画面などの表示用データを出力データとして画像表示装置９へ出力する。画像表示装置９は、例えばカメラ背面に搭載されたＴＦＴ等のモニタ（背面モニタ）であって、表示回路８から出力された出力データを表示する。ＣＰＵ１２は、上述したカメラ１００が備える各要素を制御することによってカメラ１００全体を制御する。表示装置１３は、画像表示装置９とは別に設けられた表示装置、例えばカメラ１００の上面に設置された液晶表示装置であって、カメラ１００の状態を示すために用いられる。
【００１３】
本実施の形態におけるカメラ１００は、上述したように２枚の記録媒体１１ａおよび１１ｂに画像データを記録することができる。使用者は不図示の操作部材を操作して画像表示装置９に設定メニューを表示し、この設定メニュー上で各記録媒体に記録する画像の画質や、記録媒体への画像の記録方法を設定することができる。例えば、使用者は、図２に示す撮影メニュー画面上で「画質モード」を選択することによって、記録媒体１１ａおよび１１ｂのそれぞれに記録する画像の画質を設定することができる。また、使用者は、図２に示す撮影メニュー画面上で「記録モード」を選択することによって、記録媒体１１ａおよび１１ｂへの画像の記録方法を設定することができる。
【００１４】
使用者によって、図２に示す撮影メニュー画面上で「画質モード」が選択されると、ＣＰＵ１２は、画像表示装置９に図３に示す画質モード選択画面を表示する。使用者は、この画面上で記録する画像の画質を設定する。本実施の形態では、画像の記録形式と画像の圧縮率とを選択することで画質を設定することができる。すなわち、使用者は、画像の記録形式をＲＡＷとＪＰＥＧのいずれかから選択し、ＪＰＥＧを選択した場合には、さらに画像の圧縮率を選択することで画質を設定する。
【００１５】
ここでは、画像の圧縮率は、その度合いを表す「ＦＩＮＥ」、「ＮＯＲＭＡＬ」、「ＢＡＳＩＣ」のいずれかの設定値を選択することで設定することができる。「ＦＩＮＥ」は、最も圧縮率が低く高画質な画像を取得するための設定値であり、「ＮＯＲＭＡＬ」は、「ＦＩＮＥ」に次いで圧縮率が低く高画質な画像を取得するための設定値である。また、「ＢＡＳＩＣ」は、画質は「ＦＩＮＥ」や「ＮＯＲＭＡＬ」よりも低下するが、圧縮率が最も高い画像を取得するための設定値である。以上より、本実施の形態では、記録する画像の画質は、ＲＡＷ、ＪＰＥＧのＦＩＮＥ（ＦＩＮＥ）、ＪＰＥＧのＮＯＲＭＡＬ（ＮＯＲＭＡＬ）、ＪＰＥＧのＢＡＳＩＣ（ＢＡＳＩＣ）を有する。
【００１６】
例えば、使用者は、図３に示す画質モード選択画面上でＲＡＷ＋ＦＩＮＥを選択することで、１枚の画像をＲＡＷとＪＰＥＧのＦＩＮＥの両方の画質で記録するように指定することができる。また、ＲＡＷ＋ＮＯＲＭＡＬを選択することで、１枚の画像をＲＡＷとＪＰＥＧのＮＯＲＭＡＬとの両方の画質で記録するように指定することができる。また、ＲＡＷ＋ＢＡＳＩＣを選択することで、１枚の画像をＲＡＷとＪＰＥＧのＢＡＳＩＣとの両方の画質で記録するように指定することができる。あるいは、ＲＡＷ、ＦＩＮＥ、ＮＯＲＭＡＬ、ＢＡＳＩＣのいずれかを選択することで、選択したいずれかの画質で画像を記録することができる。
【００１７】
また、使用者によって、図２に示す撮影メニュー画面上で「記録モード」が選択されると、ＣＰＵ１２は、画像表示装置９に図４に示す記録モード選択画面を表示する。使用者は、この画面上で画像の記録モードを「単独記録」、「バックアップ記録」、「分割記録」または「順次記録」の中から選択することによって記録媒体１１ａおよび１１ｂへの画像の記録方法を設定することができる。以下、各モードについて説明する。
【００１８】
「単独記録」は、２つの記録媒体１１ａおよび１１ｂのうち、いずれか一方の記録媒体にのみ画像を記録するためのモードである。使用者によって記録モードとして「単独記録」が選択されると、ＣＰＵ１２は、記録媒体１１ａおよび１１ｂのうちあらかじめ設定されたいずれか一方、またはメモリカードスロット１１にいずれか一方のみが挿入されている場合には、その挿入されている方の記録媒体に画像を記録する。このとき、上述した画質モードとして、ＲＡＷ形式の画像（ＲＡＷ画像）とＪＰＥＧ形式の画像（ＪＰＥＧ画像）のそれぞれを記録するモード、すなわちＲＡＷ＋ＦＩＮＥ、ＲＡＷ＋ＮＯＲＭＡＬ、およびＲＡＷ＋ＢＡＳＩＣのいずれかが設定されている場合には、１つの記録媒体にＲＡＷとＪＰＥＧの両方の画像を記録する。
【００１９】
「バックアップ記録」は、２つの記録媒体１１ａおよび１１ｂに同じ画像を記録するためのモードである。使用者によって記録モードとして「バックアップ記録」が選択されると、ＣＰＵ１２は、記録媒体１１ａと記録媒体１１ｂのそれぞれに、同じ画像を記録する。これによって自動的に画像のバックアップをとることができる。「バックアップ記録」モードにおいても、画質モードとしてＲＡＷ画像とＪＰＥＧ画像のそれぞれを記録するモードが設定されている場合には、各記録媒体にＲＡＷとＪＰＥＧの両方の画像を記録することになる。
【００２０】
「分割記録」は、記録媒体１１ａおよび１１ｂのうち、一方の記録媒体にＲＡＷ画像を記録し、他方の記録媒体にＪＰＥＧ画像を記録するためのモードである。よって、「分割記録」は、上述した画質モードとして、ＲＡＷ画像とＪＰＥＧ画像のそれぞれを記録するモード、すなわちＲＡＷ＋ＦＩＮＥ、ＲＡＷ＋ＮＯＲＭＡＬ、およびＲＡＷ＋ＢＡＳＩＣのいずれかが設定されている場合のみ有効となるモードである。
【００２１】
「順次記録」は、記録媒体１１ａおよび１１ｂのうち、いずれか一方の記録媒体から画像の記録を開始し、その記録媒体の記録容量が無くなったらもう一方の記録媒体への画像の記録を開始するためのモードである。「順次記録」モードの場合も、画質モードとしてＲＡＷ画像とＪＰＥＧ画像のそれぞれを記録するモードが設定されている場合には、１つの記録媒体にＲＡＷとＪＰＥＧの両方の画像を記録することになる。
【００２２】
本実施の形態におけるカメラ１００では、このように２つの記録媒体１１ａおよび１１ｂのそれぞれに記録する画像の画質が異なったり、記録方法が異なったりする。このため、使用者に対して各記録媒体に記録する画像の画質や記録方法を提示しないと、使用者が各記録媒体への画像の記録状況を把握することができない。そこで本実施の形態では、ＣＰＵ１２は、表示装置１３に、設定されている画質モードと記録モードの内容を使用者が把握しやすいような表示形態で表示する。
【００２３】
具体的には、図５（ａ）に示すように、ＣＰＵ１２は、各記録媒体に応じたアイコン、すなわち記録媒体１１ａを示すアイコン５ａと記録媒体１１ｂを示すアイコン５ｂを表示装置１３に表示する。なお、このアイコン５ａおよび５ｂは、ＣＩＰＡ規格で定められているメモリカードを示す図形で構成されており、メモリカードスロット１１への記録媒体の挿入状況を示すものである。アイコン５ａおよび５ｂの表示位置は、記録媒体が挿入されているメモリカードスロット１１のスロットに対応している。
【００２４】
例えば、メモリカードスロット１１がスロット１とスロット２の２つのスロットを備えている場合には、スロット１に挿入される記録媒体に対応するアイコンを左側に表示し、スロット２に挿入される記録媒体に対応するアイコンを右側に表示する。一般的なカメラにおいては、このアイコンの表示、非表示を切り替えることで、各スロットへの記録媒体の挿入状況を使用者に提示している。すなわち、各スロットにメモリカードが挿入されている場合にはこのアイコンを表示し、挿入されていない場合には非表示にする。
【００２５】
本実施の形態では、図５（ａ）に示すように、従来と同様にこのアイコンの表示、非表示を切り替えてメモリカードスロット１１への記録媒体の挿入状況を使用者に提示し、さらにこのアイコンに対応付けて、メモリカードスロット１１に挿入されている記録媒体に関する情報を表示する。具体的には、記録媒体を示すアイコンの中、または近傍に文字、記号、または図形を表示することによって、設定されている画質モードや記録モードの内容を使用者に提示する。
【００２６】
例えば、アイコン５ａおよび５ｂのそれぞれの中に記録媒体に記録する画像の画質を表す文字（ＲＡＷ、ＪＰＥＧ）を表示する。この「ＲＡＷ」および「ＪＰＥＧ」の各文字は、記録媒体への画像の記録に関する情報に相当する。また、アイコン５ａおよび５ｂの間のスペース（アイコン間）に画像の記録モードを表す図形（→、＋）を表示する。この「→」および「＋」の各記号は、複数の記録媒体間の記録に関する関係を示す情報に相当する。
【００２７】
ここで、各アイコン内に表示される「ＲＡＷ」および「ＪＰＥＧ」の文字は、各記録媒体に記録する画像の記録形式を示している。例えば、アイコン５ａ内に「ＪＰＥＧ」が表示されている場合には、記録媒体１１ａに記録される画像はＪＰＥＧ画像データであることを示している。なお、ここではアイコン内に画像形式のみを表示することで画質を使用者に提示するが、画像形式がＪＰＥＧの場合には、上述した圧縮率を示す「ＦＩＮＥ」、「ＮＯＲＭＡＬ」、または「ＢＡＳＩＣ」の文字も一緒に表示するようにしてもよい。なお、各アイコン内に「ＲＡＷ」および「ＪＰＥＧ」のどちらを表示するかは、ＣＰＵ１２が使用者によって設定された画質モードおよび記録モードに基づいて決定する。
【００２８】
アイコン間に表示される「→」は、画像の記録モードとして「順次記録」が選択された場合に表示される記号である。例えば、記録媒体１１ａに画像を記録していき、記録媒体１１ａの記録容量が無くなったら記録媒体１１ｂへの記録を行うように設定されている場合には、アイコン５ａからアイコン５ｂに向けて矢印（「→」）が表示される。また、アイコン間に表示される「＋」は、画像の記録モードとして「分割記録」または「バックアップ記録」が選択された場合に記録される記号である。例えば、「分割記録」が選択され、記録媒体１１ａにＲＡＷ画像を記録し、記録媒体１１ｂにＪＰＥＧ画像を記録するように設定されている場合には、「ＲＡＷ」が表示されたアイコン５ａと、「ＪＰＥＧ」が表示されたアイコン５ｂの間に「＋」が表示される。
【００２９】
以下、図５（ｂ）〜（ｇ）に各画質モードおよび記録モードにおけるアイコン、文字、および記号の表示例を示す。なお、図５（ｂ）〜（ｇ）の各図においては、表示装置１３に表示されているアイコン、文字、および記号を濃色で表し、表示装置１３に表示されていないアイコン、文字、および記号を淡色で表示している。
【００３０】
図５（ｂ）は、画質モードとして「ＲＡＷ」が選択され、記録モードとして「単独記録」が選択されているときに、記録媒体１１ａのみが挿入されている場合の表示例を示している。この場合には、記録媒体１１ａのみが挿入され、記録媒体１１ｂは挿入されていないことを示すために、ＣＰＵ１２は、アイコン５ａのみを表示する。そして、記録媒体１１ａにＲＡＷ画像を記録することを示すために、アイコン５ａ内に「ＲＡＷ」を表示する。
【００３１】
図５（ｃ）は、画質モードとして「ＦＩＮＥ」が選択され、記録モードとして「単独記録」が選択されているときに、記録媒体１１ａおよび１１ｂの両方が挿入されている場合の表示例を示している。この場合には、記録媒体１１ａおよび１１ｂの両方が挿入されていることを示すために、ＣＰＵ１２は、アイコン５ａおよび５ｂを表示する。そして、「単独記録」が選択されているために、記録媒体１１ａにのみＪＰＥＧ画像を記録し、記録媒体１１ｂには画像を記録しないことを示すために、アイコン５ａ内に「ＪＰＥＧ」を表示する。なお、画質モードとして「ＮＯＲＭＡＬ」、または「ＢＡＳＩＣ」が選択された場合にも同様の表示となる。
【００３２】
図５（ｄ）は、画質モードとして「ＲＡＷ＋ＦＩＮＥ」が選択され、記録モードとして「単独記録」が選択されているときに、記録媒体１１ａのみが挿入されている場合の表示例を示している。この場合には、ＣＰＵ１２は、アイコン５ａのみを表示し、記録媒体１１ａ内にＲＡＷ画像とＪＰＥＧ画像の画像を記録することを示すために、アイコン５ａ内に「ＲＡＷ」と「ＪＰＥＧ」を表示する。なお、画質モードとして「ＲＡＷ＋ＮＯＲＭＡＬ」、または「ＲＡＷ＋ＢＡＳＩＣ」が選択された場合にも同様の表示となる。
【００３３】
図５（ｅ）は、画質モードとして「ＦＩＮＥ」が選択され、記録モードとして「バックアップ記録」が選択されているときに、記録媒体１１ａおよび１１ｂの両方が挿入されている場合の表示例を示している。この場合には、ＣＰＵ１２は、アイコン５ａおよび５ｂを表示する。そして、記録媒体１１ａおよび１１ｂのそれぞれにＪＰＥＧ画像を記録することを示すために、アイコン５ａおよび５ｂのそれぞれに「ＪＰＥＧ」を表示する。また、記録モードとして「バックアップ記録」が選択されていることを示すために、アイコン５ａとアイコン５ｂとの間に「＋」を表示する。なお、画質モードとして「ＮＯＲＭＡＬ」、または「ＢＡＳＩＣ」が選択された場合にも同様の表示となる。
【００３４】
図５（ｆ）は、画質モードとして「ＲＡＷ＋ＦＩＮＥ」が選択され、記録モードとして「分割記録」が選択されているときに、記録媒体１１ａおよび１１ｂの両方が挿入されている場合の表示例を示している。この場合には、ＣＰＵ１２は、アイコン５ａおよび５ｂを表示する。そして、記録媒体１１ａにＲＡＷ画像を記録し、記録媒体１１ｂにＪＰＥＧ画像を記録することを示すために、アイコン５ａ内に「ＲＡＷ」を表示し、アイコン５ｂ内に「ＪＰＥＧ」を表示する。また、記録モードとして「分割記録」が選択されていることを示すために、アイコン５ａとアイコン５ｂとの間に「＋」を表示する。なお、画質モードとして「ＲＡＷ＋ＮＯＲＭＡＬ」、または「ＲＡＷ＋ＢＡＳＩＣ」が選択された場合にも同様の表示となる。
【００３５】
図５（ｇ）は、画質モードとして「ＦＩＮＥ」が選択され、記録モードとして「順次記録」が選択されているときに、記録媒体１１ａおよび１１ｂの両方が挿入されている場合の表示例を示している。この場合には、ＣＰＵ１２は、アイコン５ａおよび５ｂを表示する。そして、記録媒体１１ａおよび１１ｂのそれぞれにＪＰＥＧ画像を記録することを示すために、アイコン５ａおよび５ｂのそれぞれに「ＪＰＥＧ」を表示する。また、記録モードとして「順次記録」が選択されていることを示すために、アイコン５ａとアイコン５ｂとの間に「→」を表示する。なお、画質モードとして「ＮＯＲＭＡＬ」、または「ＢＡＳＩＣ」が選択された場合にも同様の表示となる。
【００３６】
なお、上述したように、設定されている画質モードおよび記録モードに応じて、アイコン、文字、および記号の表示・非表示を切り替えるようにしたが、これに限定されず、図５（ｂ）〜（ｇ）の各図に示したように、表示装置１３に表示するアイコン、文字、および記号の濃淡を切り替えるようにしてもよい。
【００３７】
また、上述した記録モードのうち、「バックアップ記録」、「分割記録」、および「順次記録」のいずれかのモードが設定されている場合には、必ず２枚の記録媒体が必要となる。このため、これらの記録モードのいずれかが設定されたにも関わらず、記録媒体が１枚しか挿入されていない場合には、ＣＰＵ１２は、挿入されていない記録媒体に対応するアイコンを点滅させて使用者に警告するようにしてもよい。すなわち、ＣＰＵ１２は、メモリカードスロット１１に挿入（格納）されるべき記録媒体が格納されていないことを検出した場合には、使用者に対して警告するようにしてもよい。例えば、２枚の記録媒体が必要にも関わらず、記録媒体１１ｂが挿入されていない場合には、アイコン５ｂを点滅表示して使用者に警告する。
【００３８】
同様に、設定されている記録モードに関わらず、記録媒体が１枚も挿入されていない場合には、アイコン５ａおよび５ｂを点滅させて警告することで、使用者に記録媒体の挿入を促すようにしてもよい。ここでは、アイコンを点滅させることで使用者に警告する例について説明したが、その他の方法、例えば画像表示装置９や表示装置１３にメッセージを表示したり、音声ガイダンスを出力したりして警告するようにしてもよい。
【００３９】
さらに、記録モードが「分割記録」に設定されている場合には、一方の記録媒体にＲＡＷ画像が記録され、他方の記録媒体にＪＰＥＧ画像が記録されることになる。このとき、ＲＡＷ画像とＪＰＥＧ画像とでは、ＲＡＷ画像の方が画像１枚当たりのデータサイズが大きくなる。このため、ＣＰＵ１２は、記録媒体１１ａと記録媒体１１ｂの記録容量がそれぞれ異なる場合には、記録容量が大きい方の記録媒体にＲＡＷ画像を記録し、記録容量が小さい方の記録媒体にＪＰＥＧ画像を記録するように画像の記録先を決定すればよい。
【００４０】
なお、記録モード決定の際に決定された記録先は、次に記録モードが変更されるまで、または記録モードが分割記録に再設定されるまで変更されない。また、記録媒体が交換された場合は、交換後の記録媒体の記憶容量にて、再度記録先を設定し直すようにしてもよい。また、いずれかの記録媒体の残容量が減少し、設定されている画質モードでの該記録媒体への画像の記録ができないと判断された場合には、その時点で記録媒体の記録容量を判断し、再度記録先を設定し直してもよい。ここでの記録容量は、記録媒体の総容量としてもよく、あるいは残容量（空き容量）としてもよい。また、ＣＰＵ１２は、記録媒体の記録容量に関係なく、記録媒体１１ａにＲＡＷ画像を記録し、記録媒体１１ｂにＪＰＥＧ画像を記録するように画像の記録先を決定してもよい。
【００４１】
図６は、本実施の形態におけるカメラ１００の処理を示すフローチャートである。図６に示す処理は、使用者によってカメラ１００の電源がオンされると起動するプログラムとして、ＣＰＵ１２により実行される。
【００４２】
ステップＳ１０において、ＣＰＵ１２は、メモリカードスロット１１への記録媒体の挿入状況を検出し、その検出結果に基づいて、表示装置１３に上述したアイコンを表示する。すなわち、記録媒体１１ａが挿入されていればアイコン５ａを表示し、記録媒体１１ｂが挿入されていればアイコン５ｂを表示する。その後、ステップＳ２０へ進む。
【００４３】
ステップＳ２０では、電源投入時の画質モードおよび記録モードの設定状況を検出し、その検出結果に基づいて、図５で上述したように、アイコン内の文字の表示、およびアイコン間の記号の表示を行う。その後、ステップＳ３０へ進み、使用者によって、図３に示した画質モード選択画面上で画質モードの設定が変更されたか否かを判断する。否定判断した場合には、後述するステップＳ５０へ進む。これに対して、肯定判断した場合には、ステップＳ４０へ進み、変更後の画質モードに応じて、表示装置１３の表示内容を変更する。すなわちアイコン内に表示する文字の表示・非表示を切り替える。その後、ステップＳ５０へ進む。
【００４４】
ステップＳ５０では、使用者によって、図４に示した記録モード選択画面上で記録モードの設定が変更されたか否かを判断する。否定判断した場合には、後述するステップＳ７０へ進む。これに対して、肯定判断した場合には、ステップＳ６０へ進み、変更後の記録モードに応じて、表示装置１３の表示内容を変更する。すなわちアイコン内に表示する文字、および／またはアイコン間に表示する記号の表示・非表示を切り替える。その後、ステップＳ７０へ進む。
【００４５】
ステップＳ７０では、メモリカードスロット１１への記録媒体の挿入状況が変更されたか否かを判断する。否定判断した場合には、後述するステップＳ９０へ進む。これに対して、肯定判断した場合には、ステップＳ８０へ進み、変更後の挿入状況に応じて、表示装置１３の表示内容を変更する。すなわちアイコン５ａおよび５ｂの表示・非表示を切り替える。その後、ステップＳ９０へ進み、使用者によってカメラ１００の電源がオフされたか否かを判断する。否定判断した場合には、ステップＳ３０に戻って処理を繰り返す。一方、肯定判断した場合には、処理を終了する。
【００４６】
以上説明した本実施の形態によれば、以下のような作用効果を得ることができる。
（１）メモリカードスロット１１への記録媒体の挿入状況を示すアイコンを表示装置１３に表示し、アイコンの中または近傍に、記録媒体への画像の記録に関する情報、すなわち記録媒体に記録する画像の画質に関する情報を表示するようにした。これによって、使用者は、記録媒体に記録する画像の画質を容易に把握することができる。
【００４７】
（２）メモリカードスロット１１は、複数の記録媒体１１ａと１１ｂとを格納するためのスロット部を備え、それぞれの記録媒体の挿入状況を表示するために、各記録媒体に応じたアイコンを表示装置１３に表示するようにした。これによって、複数の記録媒体に画像を記録できるカメラにおいて、使用者は、各記録媒体ごとにその挿入状況や画像の画質に関する情報を容易に把握することができる。
【００４８】
（３）各記録媒体に応じたそれぞれのアイコンの間に、複数の記録媒体間の記録に関する関係を示す情報として、記録モードの設定状況を表す「→」、「＋」の記号を表示するようにした。これによって、使用者は、記録媒体への画像の記録モードを容易に把握することができる。
【００４９】
（４）メモリカードスロット１１に、複数の記録媒体のうち、挿入されるべき記録媒体が挿入されていないことを検出した場合には、使用者に対して警告するようにした。これによって、使用者は必要な記録媒体が挿入されていないことを容易に把握することができる。
【００５０】
（５）複数の記録媒体のそれぞれの総記録容量、または残容量を判定して、どの記録媒体に画像を記録するかを決定するようにした。これによって、例えば、記録モードが「分割記録」に設定された場合には、記録容量が大きい方の記録媒体にデータサイズが大きいＲＡＷ画像を記録し、記録容量が小さい方の記録媒体にデータサイズが小さいＪＰＥＧ画像を記録するよう決定することにより、記録媒体を効率的に使用することができる。
【００５１】
―変形例―
なお、上述した実施の形態のカメラは、以下のように変形することもできる。
（１）上述した実施の形態では、メモリカードスロット１１には、２つの記録媒体１１ａおよび１１ｂを挿入できる例について説明した。しかしながら、メモリカードスロット１１が３つ以上のスロット部を備え、３つ以上の記録媒体を挿入できるカメラにおいても、本発明は適用可能である。この場合には、表示装置１３には、挿入可能な記録媒体数分のアイコンを表示し、各アイコン内に画質モードに関する情報を表示し、各アイコン間に記録モードに関する情報を表示すればよい。
【００５２】
（２）上述した実施の形態では、メモリカードスロット１１への記録媒体の挿入状況を示すアイコンを表示装置１３に表示し、アイコンの中または近傍に、記録媒体に記録する画像の画質に関する情報を記録媒体への画像の記録に関する情報として表示する例について説明した。しかしながら、アイコンの中または近傍に、その他の記録媒体への画像の記録に関する情報、例えば、記録媒体に記録可能な画像の枚数、記録媒体の空き容量、すでに記録済みの画像の枚数などを表示するようにしてもよい。
【００５３】
（３）上述した実施の形態では、２枚の記録媒体が必要にも関わらず、１枚の記録媒体しか挿入されていない場合には、アイコンを点滅表示して使用者に警告する例について説明した。しかしながら、２枚の記録媒体が必要にも関わらず、１枚の記録媒体しか挿入されていない場合には、設定されている記録モードの特性を維持しつつ、挿入されている1枚の記録媒体にのみ、画像を記録するようにしてもよい。
【００５４】
例えば、画質モードとして「ＲＡＷ＋ＦＩＮＥ」が選択され、記録モードとして「分割記録」が選択されているときに、記録媒体１１ａおよび１１ｂの両方が挿入されていれば、表示装置１３への表示を上述した図５（ｆ）のようにして、記録媒体１１ａにＲＡＷ画像を、記録媒体１１ｂにＪＰＥＧのＦＩＮＥ画像を記録する。これに対して、記録媒体１１ａのみが挿入されている場合には、表示装置１３への表示を上述した図５（ｄ）のようにして、記録媒体１１ａにＲＡＷ画像とＪＰＥＧのＦＩＮＥ画像を記録する。これによって、少なくとも１枚の記録媒体が挿入されていれば、記録モードの特性を維持して画像を記録することができる。
【００５５】
（４）上述した実施の形態では、複数の記録媒体を挿入可能であって、その挿入状況を表示装置１３に表示可能なカメラに本発明を適用する例について説明したが、これに限定されず、本発明は、複数の記録媒体を挿入可能であって、その挿入状況を表示可能な表示装置を備える他の機器、例えば携帯電話やポータブル音楽プレイヤーなどに適用することも可能である。
【００５６】
（５）上述した実施の形態では、画像表示装置９と表示装置１３の２つの表示装置を備え、画像表示装置には画像や種々のメニュー画面を、表示装置１３には記録媒体の挿入状況を示すアイコンおよび画質や記録方法を示す文字や記号を表示する例について説明した。しかしながら、カメラ１００が１つの表示装置しか搭載しない場合には、その１つの表示装置へ画像表示装置９と表示装置１３の表示内容をいずれも表示するようにすればよい。
【００５７】
（６）上述した実施の形態では、アイコン５ａおよび５ｂは、ＣＩＰＡ規格で定められているメモリカードを示す図形で構成されている例について説明した。しかしながら、これ以外の図形、例えば単純な正方形や長方形で構成されるアイコンを用いても良い。
【００５８】
なお、本発明の特徴的な機能を損なわない限り、本発明は、上述した実施の形態における構成に何ら限定されない。
【図面の簡単な説明】
【００５９】
【図１】カメラの一実施の形態の構成を示すブロック図である。
【図２】撮影メニュー画面の具体例を示す図である。
【図３】画質モード選択画面の具体例を示す図である。
【図４】記録モード選択画面の具体例を示す図である。
【図５】画質モードおよび記録モードに応じたアイコン、文字、および記号の表示例を示す図である。
【図６】カメラ１００の処理を示すフローチャートである。
【符号の説明】
【００６０】
１００  カメラ、１  撮影レンズ、２  撮像素子、３  Ａ／Ｄ、４  ＴＧ、５  イメージメモリ、６  画像処理回路、７  圧縮回路、８  表示回路、９  画像表示装置、１０  メモリ、１１  メモリカードスロット、１１ａ、１１ｂ  記録媒体、１２  ＣＰＵ、１３  表示装置
【図１】
2008178082.tif 000003
【図２】
2008178082.tif 000004
【図３】
2008178082.tif 000005
【図４】
2008178082.tif 000006
【図５】
2008178082.tif 000007
【図６】
2008178082.tif 000008